(57)【特許請求の範囲】
【請求項１】
遊技機島設備に固定する外枠を、上板と下板と左右の横板により略矩形状に形成して備えた弾球遊技機において、
前記下板は、
略横長平板状に形成されたウェブ部と、該ウェブ部の後縁の下方に垂設される後フランジ部と、前記ウェブ部の前縁の下方に垂設される前フランジ部と、を備えると共にアルミニウムで形成されてなる下板基体と、
前記後フランジ部の前方且つ前記ウェブ部の直下位置に配設され且つ木材で形成される釘打込部材と、で構成され、
前記ウェブ部は、
少なくとも前記後縁の上部に、複数の凸部及び凹部を備え、該後縁の上部よりも前方に前記釘打込部材が露出する貫通穴を備えた、
ことを特徴とする弾球遊技機。
【請求項２】
請求項１に記載の弾球遊技機において、
前記貫通穴は、少なくとも前記凸部の頂部に設けられること、
を特徴とする弾球遊技機。
【請求項３】
請求項１又は請求項２に記載の弾球遊技機において、
前記複数の凸部及び凹部は、前記後縁の上部の左右方向に沿って条設された断面略山形状の畝部及び断面略谷形状の溝部であること、
を特徴とする弾球遊技機。
【発明の詳細な説明】
【技術分野】
【０００１】
本発明は、遊技機設置島に設置される、弾球遊技機に関する。
【背景技術】
【０００２】
従来の弾球遊技機は、遊技店の遊技機設置島に固定して設置される。
遊技機設置島への弾球遊技機の設置は、弾球遊技機の外枠を構成する上板及び下板を、遊技機設置島の設置用枠板に対して、釘を打ち込んで固定する方法が、従来より一般的に採用されてきた（例えば、特許文献１又は特許文献２）。また、最近では、遊技機設置島の設置用枠板にクランプをビス止め等によって固着した上で、該クランプにて弾球遊技機の外枠（下板）を締め付けることで、固定する方法も行われるようになってきた。
【先行技術文献】
【特許文献】
【０００３】
【特許文献１】特許第３６１４２０３号公報
【特許文献２】特許第５００８９０６号公報
【発明の概要】
【発明が解決しようとする課題】
【０００４】
釘を打ち込んで固定する場合、釘によって確実に固定するためには、外枠の下板は木材で形成することが好ましいものの、弾球遊技機の設置位置の微妙な位置調整のために、何度も釘の打ち込みを繰り返すと、打ち込み箇所から亀裂が発生したり、打ち込みにより形成された釘の孔が拡大してしまうことがあった。よって、釘の打ち込みよりも、クランプでの締め付けによる固定方法の方が、常に確実な設置を実現出来るという点においてメリットは大きく、該クランプでの固定方法を望む遊技店が増加する傾向にある。
しかしながら、遊技機設置島の構造は遊技店によって一定ではなく、クランプをビス止め等によって固着するための設置用枠板に関しても、クランプを設置するスペースが確保出来ない遊技店も存在する。
また、下板を木材で形成した構成の弾球遊技機を、クランプによって固定しようとすると、誤って強く締め付け過ぎてしまい木材が破損してしまう、という問題がある。この点、強い締め付け力にも破壊しないように、下板を金属（例えば、アルミニウム等）により形成した場合、クランプが滑ってしまって確実に固定できない、という問題も生じる。
本願発明は係る課題に鑑みなされたものであって、個々の遊技店に最適な固定方法で遊技機設置島に設置することが可能な弾球遊技機を提供することを目的とした。
【課題を解決するための手段】
【０００５】
上記課題を解決するためになされた請求項１に係る発明は、遊技機島設備に固定する外枠を、上板と下板と左右の横板により略矩形状に形成して備えた弾球遊技機に関するものである。
【０００６】
この弾球遊技機の、下板は、略横長平板状に形成されたウェブ部と、該ウェブ部の後縁の下方に垂設される後フランジ部と、ウェブ部の前縁の下方に垂設される前フランジ部と、を備えると共にアルミニウムで形成されてなる下板基体と、後フランジ部の前方且つウェブ部の直下位置に配設され且つ木材で形成される釘打込部材と、で構成され、ウェブ部は、少なくとも後縁の上部に、複数の凸部及び凹部を備え、該後縁の上部よりも前方に釘打込部材が露出する貫通穴を備える。
【０００７】
このように構成することにより、外枠をクランプにて遊技機島設備に固定する場合には、ウェブ部の後縁の上部に設けられた複数の凸部及び凹部にてクランプすることで、摩擦抵抗の高い状態にてクランプすることが出来、確実なクランプ固定を可能とする。また、外枠を釘にて遊技機島設備に固定する場合には、ウェブ部の直下位置に配設された釘打込部材に対して、該釘打込部材を上方に向かって露出する貫通穴から釘を打ち込むことが出来、確実な釘固定を可能とする。このように、クランプ固定及び釘固定の何れの固定種別にも対応するため、個々の遊技店に最適な固定方法で遊技機設置島に外枠を設置することが可能となる。
【０００８】
また、複数の凸部及び凹部を、ウェブ部の少なくとも後縁の上部に備えるので、クランプによる固定を行う場合には、確実な固定を行うことが可能となる。すなわち、クランプは遊技機島設備の奥側すなわち下板の後方に配設されるため、クランプに近いウェブ部の後縁にてクランプのための複数の凸部及び凹部を備えることにより、クランプのアーム（支点から作用点までの片持ち梁の長さ）が短くて済み、小さい力でより大きなクランプ力を発生させる事が出来、より確実なクランプ固定を実現できる。
さらにいえば、複数の凸部及び凹部は、ウェブ部の内の、少なくとも下方に後フランジ部が垂設される部位の上部に設けるようにしても良い。これにより、上方からのクランプ力が加わっても、該荷重を、アルミニウムで形成されて剛性の高い後フランジ部で受けることになるので、損傷や破壊が起き難い。
このように、複数の凸部及び凹部は、下板に横方向からの圧力が加わった場合に対するクランプの滑り止めを実現する、クランプ滑り止め手段である。
【０００９】
また、貫通穴を、ウェブ部の複数の凸部及び凹部が備えられた後縁の上部よりも、前方位置に、すなわち、釘打ち作業者に近い側に設けることで、釘打ち作業において、遊技機島設備の奥側に必要以上に身を乗り出して行わなくても良く、作業性が向上することで確実な固定を実現できる。
さらにいえば、貫通穴は、ウェブ部の内の、少なくとも下方に後フランジ部又は前フランジ部が垂設されていない部位であって且つ釘打込部材が配設される部位に設けるようにしても良い。これにより、貫通穴により釘打込部材の上方が確実に露出し、後フランジ部又は前フランジ部が障害となることなく、確実に釘の打ち込みが可能となる。
【００１０】
なお、請求項１に係る弾球遊技機では、複数の凸部及び凹部を、綾目ローレット状に形成した構成であっても良い。
こうすることによっても、本発明の効果を奏することは出来る。すなわち、このように綾目ローレット状に形成することで、前後方向に限らず、左右方向への圧力が加わったとしても、クランプのズレが発生し難く、確実なクランプ固定を可能とする。
【００１１】
また、複数の凸部及び凹部を、平面に対して多数の所謂ディンプルを施す構成や、或いは、逆に平面に対して多数の突起を施す構成、さらに多数のディンプルと突起を組み合わせた構成とすることも考えられる。
こうすることによっても、本発明の効果を奏することは出来る。また、クランプする箇所の選択に自由度が増し、より好適な箇所にてクランプ出来るので確実なクランプを可能とする。
【００１２】
また、後フランジ部及び前フランジ部は、ウェブ部の下方位置にて、該ウェブ部と組み合わされることで断面略中空箱形状に形成するのが好適である。
このように構成することにより、上方からの圧縮力に対する剛性が高くなり、延いては、高いクランプ力によってクランプしても破壊や損傷を起こすことがないため、強いクランプ力によってより確実な固定を実現することが出来る。
【００１３】
また、後フランジ部及び前フランジ部を、中空ではなく中実な形状として形成することも考えられる。例えば、中実な平板状に形成したり、断面略中実箱形状に形成したりしても良い。
このように構成することにより、薄い平板状に形成すれば、充分な強度が確保出来ることを担保した上で、単純な構成とすることで、製造コストの低減を図ることが可能となる。また、断面略中実箱形状に形成に形成することで、剛性に充分な余裕を持たせる事が出来、遊技店によって様々異なる種類のクランプが使用される状況を前提として、如何に大きなクランプ力で締結したとしても、破壊や損傷を起こすことがないため、一層個々の遊技店に最適な固定方法に対応することが出来る。
さらに、後フランジ部及び前フランジ部の何れか一方を断面中実とし、他方を断面中空として、組み合わせても良い。これにより、例えばクランプ力を支持する後フランジ部は中空として、クランプ力を支持しない前フランジ部は中実の平板状として構成することも出来る。このように、適宜、自由な設計を可能とする。
【００１４】
また、貫通穴は、左右方向に沿って条設された俯瞰視長円形状に形成される構成が好適である。
これにより、左右方向の適宜、任意の位置にて釘を打ち込むことが可能となり、確実な固定を実現可能となる。
【００１５】
また、貫通穴は、俯瞰視真円形状に形成される構成であっても良い。
これにより、ミーリング加工などの工数の高い加工を必要せず、容易な穿孔加工で実現でき、製造コストを低く抑えることが可能となる。
また、このような俯瞰視真円形状に形成される構成の場合、該貫通穴を、左右方向に沿って列状に連続して設けたり、或いは、マトリックス状に多数備えるようにしても良い。
これにより、低い製造コストで、より任意の位置に釘打ちを行うことが可能となり、確実な釘固定を実現することができる。
【００１６】
また、下板基体を、アルミニウムではなく、他の素材として例えば、炭素繊維強化プラスチック等で形成することも考えられる。このようにしても、軽量且つ剛性の高い下板基体を構成することができる。
また、釘打込部材を木材ではなく、他の素材として例えば、釘の打ち込みにより釘を確実に保持する性能を有した樹脂等で形成することも考えられる。このようにしても、下板の確実な釘固定が可能である。
【００１７】
また、下方に後フランジ部が垂設されると共に上部に複数の凸部及び凹部が備えられるウェブ部の後縁とは、略横長平板状に形成されたウェブ部の最も後方の角（エッジ）から前方に向かって広がる所定の領域であり、換言すれば、後側の角の周辺（辺縁）の領域を意味している。故に、後側角辺縁部とも呼称し得る。また、下方に前フランジ部が垂設されるウェブ部の前縁も同様に、略横長平板状に形成されたウェブ部の最も前方の角（エッジ）から後方に向かって広がる所定の領域であり、換言すれば、前側の角の周辺（辺縁）の領域を意味している。故に、前側角辺縁部とも呼称し得る。
【００１８】
また、下板基体は、下方に開口した断面略コの字形状（下向きの溝形）の、所謂溝形鋼（チャンネル）様に形成されており、該溝形鋼におけるウェブに相当する部位を本発明のウェブ部とし、溝形鋼におけるフランジに相当する部位の一方（前側）を前フランジ部とし、溝形鋼におけるフランジに相当する部位の他方（後側）を後フランジ部としている。前、後フランジ部は、溝形鋼におけるフランジのような板状に限定するものではなく、中空のものも含めて本発明のフランジ部とする。
【００１９】
さらに、前記溝形鋼におけるウェブに相当する部位である本発明のウェブ部は、前フランジ部の上部と後フランジ部の上部との間に介在してこれら両フランジ部を連結する作用を為す、断面略平板形状に形成された構成である。故に、本発明のウェブ部は、フランジ連結平板部と換言することも可能である。
【００２０】
なお、請求項２に記載されているように、貫通穴は、少なくとも凸部の頂部に設けられるようにしても良い。
【００２１】
このようにすることで、釘を深く打ち込む場合であっても、釘の頭部の頂点が、凸部の頂部と同じ高さになるまで、ハンマーの打撃部が凸部の頂部に衝突することなく打ち込む事が出来、ハンマーの打撃部が凸部を損傷や破壊することなく打ち込むことができる。また、釘の首部が凸部の頂部に衝突して損傷や破壊することなく打ち込むことができる。
【００２２】
なお、請求項３に記載されているように、複数の凸部及び凹部は、後縁の上部の左右方向に沿って条設された断面略山形状の畝部及び断面略谷形状の溝部として構成しても良い。
【００２３】
このようにすることで、複数の凸部及び凹部を、所謂平目ローレット状に形成することができ、前後方向に対して不測の圧力が加わったとしても、高い摩擦抵抗によってズレが発生し難く、確実な固定を実現できる。また、複数の畝部及び溝部で構成することで、初期のクランプ位置からズレにより変位しても、他の畝部及び溝部によりクランプが維持されるので、下枠が遊技機島設備から外れて落下するなどの事故を防止できる。また、複数の畝部及び溝部で構成することで、前後方向の任意の位置にてクランプが可能となる。
【００２４】
また、畝部及び溝部を左右方向に沿って条設するので、下板基体を、押し出し形材にて成形することができ、大量の且つ均一の断面形状の下板基体を比較的安価に製造することが可能となる。
【図面の簡単な説明】
【００２５】
【図１】第一実施形態におけるパチンコ機の正面図である。
【図２】第一実施形態における外枠及び内枠の組付け状態を示す概略斜視図である。
【図３】第一実施形態における外枠の下板及び左横板の組付け状態を示す概略斜視図である。
【図４】第一実施形態における外枠の下板及び左横板の分解状態を示す概略斜視図である。
【図５】第一実施形態における下板の組付け状態を示す概略図である。
【図６】第一実施形態における下板のクランプによる固定状態を示す概略図である。
【図７】第一実施形態における下板のクランプによる固定状態を示す概略斜視図である。
【図８】第一実施形態における下板の釘打込みによる固定状態を示す概略図である。
【図９】本発明の変形例における下板の構成を示す概略図である。
【発明を実施するための形態】
【００２６】
以下、本発明の実施形態について図面を用いて説明する。なお、本発明の実施の形態は、下記の実施形態に何ら限定されることはなく、本発明の技術的範囲に属する限り種々の形態を採りうる。
【００２７】
［第一実施形態］
先ず、  図１を参照して第一実施形態の弾球遊技機としてのパチンコ機５０の全体構成を説明する。
なお、以下の各図面を参照した説明において、方向、向き、及び位置関係等を示す場合には、遊技機設置島に設置されて且つ遊技者に対向して位置するパチンコ機５０（図１に示す状態）を基準として、向かって右方向を、右、右側、右側方、右側方向、右方向等として説明する。
また、向かって左方向を、左、左側、左側方、左側方向、左方向等として説明する。
また、パチンコ機５０（図１に示す状態）を基準として、天井方向を、上、上側、上方、上方向等として説明する。
また、パチンコ機５０（図１に示す状態）を基準として、床向を、下、下側、下方、下方向等として説明する。
また、パチンコ機５０（図１に示す状態）を基準として、遊技者（手前）側の方向を、前、前側、前方、前方向、手前、手前側、手前側方向、表、表側、表方、表方向等として説明する。
さらに、パチンコ機５０（図１に示す状態）を基準として、遊技機設置島の内部側の方向を、後、後側、後方、後方向、奥、奥側、奥方、奥方向、裏、裏側、裏方、裏方向等として説明する。
このように、以下の図面説明では、個々に視点及び視座が変化しても、該規定した方向に関する用語に基づいて説明を行うものとする。なお、部位の説明等において、上記記載の用語に、「部」や「面」等の用語を複合して記載した場合でも、方向に関しては、無論、上記規定に遵うものである。
【００２８】
図１に示すように、第一実施形態の弾球遊技機としてのパチンコ機５０は、縦長の固定外郭保持枠をなす外枠５１にて各構成を保持する構造を有している。外枠５１の左側上には、ヒンジ５３ｂが、左側下にはヒンジ５３ａが設けられており、ヒンジ５３ａ及び５３ｂにより、板ガラス６１が嵌め込まれた前枠（ガラス枠）５２及び該前枠５２の後方に位置する内枠６０が、外枠５１に対し開閉可能に構成される。また、前枠５２の板ガラス６１の奥には、内枠６０に保持された遊技盤１（図２参照）が設けられている。
【００２９】
前枠５２の上部の左右両側にはスピーカ６６が設置されており、これらにより遊技音が出力され、遊技の趣向性を向上させる。また前枠５２には、遊技状態に応じて発光する枠側装飾ランプ６５のほか、遊技の異常を報知するＬＥＤが設けられている。
【００３０】
前枠５２の下部には、上皿５５と下皿６３とが一体に形成されている。また、下皿６３の右側には発射ハンドル６４が設けられており、該発射ハンドル６４を時計回りに操作することにより発射装置が作動し、上皿５５から供給された遊技球が遊技盤１に向けて発射される。
【００３１】
下皿６３は、上皿５５から溢れた賞球を受けるよう構成されており、球抜きレバーを操作することで、下皿６３に溜まった遊技球を遊技店に備えられたドル箱に移すことができる。また、上皿５５の中央には、演出ボタン６７及びジョグダイヤル６８が設けられている。
【００３２】
本パチンコ機５０は、いわゆるＣＲ機であり、プリペイドカードの読み書きを行うプリペイドカードユニット（ＣＲユニット）５６が付属されていると共に、上皿５５の右側には球貸ボタン５７，精算ボタン５８，残高表示器５９が設けられている。
【００３３】
なお、図１の３９は、前枠５２及び前記内枠６０を外枠５１にロックするシリンダ錠であり、該シリンダ錠３９に所定の鍵を挿入して鍵を時計回りに操作すると、内枠６０が開放され、反時計回りに操作すると、前枠５２が開放される。
【００３４】
また、パチンコ機５０の前面且つ最下部には、横長平板状に形成され且つ図示意匠が施されてなる幕板５４が設けられ、パチンコ機５０の装飾性を向上させている。該幕板５４は、後で詳述するが、外枠５１の下板７１の前面に取付けられる。
【００３５】
上述した遊技盤１（図２参照）の前面には、詳細な図示は割愛するが、発射された遊技球が流下する遊技領域が設けられている。該遊技領域には、各種通過口や各種入賞装置、画像による演出を行う演出表示装置、及び前記各種入賞装置に入賞しなかった遊技球が入球して機内に取り込まれるアウト口等が、設けられており、遊技球の帰趨に基づいて、所定の遊技が進行されるように構成されている。
【００３６】
図２を参照して、本実施形態の外枠５１、内枠６０、及び遊技盤１の組付け状態を説明する。図２は、第一実施形態における外枠及び内枠の組付け状態を、パチンコ機５０の右後方から視た状態を示す概略斜視図である。
外枠５１には、上述したヒンジ５３ａ及び５３ｂにより、内枠６０が回動自在に軸支されている。つまり内枠６０は、ヒンジ５３ａ及び５３ｂによって枢設されることで、図示矢印の軌道にしたがって開閉可能であり、図２には、内枠６０が外枠５１に対して、前方且つ左方向に向かって開放された状態が示されている。また、内枠６０には、上述した遊技盤１が、前方から取付可能となっている。遊技盤１が取り付けられた内枠６０は、回動して外枠５１の開口部に略収納されて固定されるように構成されている。なお、図２には、前枠（ガラス枠）５２の図示を省略している。
【００３７】
外枠５１は、該外枠５１を遊技機設置島の開口部を形成する設置用枠板に固定することでパチンコ機５０を設置する機能を備える。該外枠５１の構成について説明する。
外枠５１は、少なくとも、上部の上板７０、下部の下板７１、右部の右板７２、及び左部の左板７３を備え、これらの上板７０、下板７１、右板７２、及び左板７３を図示略矩形状に組み付けることで、縦長の固定外郭保持枠を構成してなる。なお、外枠５１の下部且つ前方、すなわち、下板７１の前側には、上記幕板５４が取り付けられる。
さらに、外枠５１は、右上角部に右上外側コーナー部材７４、左上角部に左上外側コーナー部材７５、右下角部に右下外側コーナー部材７６、左下角部に左下外側コーナー部材７７を備える。また、外枠５１は、開口部の右上隅部に右上内側コーナー部材（図示しない）、左上隅部に左上内側コーナー部材７８、右下隅部に右下内側コーナー部材７９、左下隅部に左下内側コーナー部材８０を備える。これらの各種コーナー部材は、何れも断面略等辺山形状に形成され且つ剛性の高い金属により形成されてなる。左下外側コーナー部材７７及び左下内側コーナー部材８０に係る構成及び作用については、後で詳述するが、何れも、突き合わせられた２種の板を、外側コーナー部材と内側コーナー部材で挟み込んだ後に、図示所定の取り付け皿ビスによって螺着することで、４隅を直角に組付けて、前記略矩形状に形成するように構成されている。
【００３８】
次に、図２の図示円Ａ部で示した箇所（外枠５１左下部の左板７３と下板７１の突合部）を例として、図３及び図４を参照に、外枠５１の組付け構成について、より詳細に説明すると共に、本発明の要部である下板７１の概略構成も併せて説明する。
図３は、本実施形態における外枠の下板及び右横板の組付け状態を示す概略斜視図、としてのＡ部拡大図であり、図４は、外枠の下板及び右横板の分解状態を示す概略斜視図である。なお、図３及び図４では、下板７１及び左板７３は、各々の長手方向の中央付近で切断した状態を示しており、図２で示した内枠６０及び遊技盤１は省略してある。また、特に下板７１の右側端部は、以下に説明する左側端部と略対称の構成となっている。
【００３９】
図３に示すように、下板７１の左端部と左板７３の下端部が、直交して付き合わされて、更に外側の左下外側コーナー部材７７と、内側の左下内側コーナー部材８０とで挟み込んで螺着することで、外枠５１の左下角部を形成している。
先ず、左板７３は、縦長略平板上に形成され、下部には左板取付ビス８３ａが挿通される左板取付ビス孔７３ａが図示２個穿設されている（図４参照）。
【００４０】
次いで、左下外側コーナー部材７７は、上述したように、断面略等辺山形状に形成され、左板７３に当接される左板当接部７７ａには左板取付ビス８３ａが挿通される左板取付ビス孔７７ｃが図示２個穿設され、下板７１に当接される下板当接部７７ｂには下板取付ビス８３ｂが挿通される下板取付ビス孔７７ｄが図示２個穿設されて構成されている。
【００４１】
さらに、左下内側コーナー部材８０は、下板７１に当接される下板当接部８０ａと、該下板当接部８０ａの左端部から上方に立ち上がって形成され左板７３に当接される左板当接部８０ｂと、該左板当接部８０ｂの上端部から右方向に曲折し且つ前方に延設されてなると共に前側部且つ上面部にヒンジ５３ａを備えたヒンジ取付部８０ｃと、左板当接部８０ｂの前端部から右方向に曲折してなる曲折部８０ｄと、を備える。
また、下板当接部８０ａには、下板取付ビス８３ｂがネジ止めされる下板取付ネジ孔８０ｅが図示２個螺設される。左板当接部８０ｂには、左板取付ビス８３ａがネジ止めされる左板取付ネジ孔８０ｆが図示２個螺設される。また、曲折部８０ｄには、起立板部取付ビス８３ｃがネジ止めされる起立板部取付ネジ孔８０ｇが図示１個螺設される。
【００４２】
本実施形態の下板７１は、アルミニウムで形成された下板基体８１と、該下板基体８１の下方の空間に嵌入されると共に略横長板状の木材で形成されてなる釘打込部材８２を備える。下板基体８１と釘打込部材８２は、左右方向の長さを略同じに形成されている。
下板基体８１は、横長略平板上に形成されたウェブ部８６と、該ウェブ部８６の前縁の下面部から下方に向けて垂設されると共に断面略上向きコ字状に形成された前フランジ部８５と、ウェブ部８６の後縁の下面部から下方に向けて垂設されると共に断面略上向きコ字状に形成された後フランジ部８４と、ウェブ部８６の前後方向のやや前方よりの位置に、上方に向かって立設された略平板状の起立板部８７と、を備える。なお、前フランジ部８５、後フランジ部８４、及び上記した釘打込部材８２の高さは、略同じとなるように形成されている。また、ウェブ部８６は、左端部近傍に、下板取付ビス８３ｂが挿通される下板取付ビス孔８６ａが図示２個穿設されている。
また、釘打込部材８２には、左端部近傍に、下板取付ビス８３ｂが挿通される下板取付ビス孔８２ａが図示２個穿設されている。
また、起立板部８７は、左端部近傍に、起立板部取付ビス８３ｃが挿通される起立板部取付ビス孔８７ａが図示１個穿設されている。
さらに、上述した、釘打込部材８２が嵌入される下板基体８１の下方の空間は、ウェブ部８６の下方直下において、前フランジ部８５と後フランジ部８４との間隙として形成され且つ下方に向かって開口されてなる凹部空間８８として構成されている。
【００４３】
このように、下板７１（下板基体８１と釘打込部材８２）、左板７３、左下内側コーナー部材８０、及び左下外側コーナー部材７７は、次のような手順により組み付けられることで、外枠５１の左下角部を形成する。
すなわち、釘打込部材８２を、下板基体８１の凹部空間８８に嵌入（挿入）し、左板７３の下端部且つ右側面部を、下板基体８１の左端部に当接する。次いで、左下外側コーナー部材７７を、左板当接部７７ａの右側面部が左板７３の下端部且つ左側面部に当接し、下板当接部７７ｂの上側面部が釘打込部材８２及び下板基体８１の左端部且つ下側面部に当接するように配置する。更に、左下内側コーナー部材８０を、下板当接部８０ａの下側面部がウェブ部８６の左端部且つ上側面部に当接し、左板当接部８０ｂの左側面部が左板７３の下端部且つ右側面部に当接し、曲折部８０ｄの前側面部が起立板部８７の左端部且つ後側面部に当接するように配置する。
このように配置した上で、左板取付ビス８３ａを、左板当接部７７ａの左板取付ビス孔７７ｃ、及び、左板７３の左板取付ビス孔７３ａに挿通し、更に左板当接部８０ｂの左板取付ネジ孔８０ｆに螺着して固定する。次に、下板取付ビス８３ｂを、下板当接部７７ｂの下板取付ビス孔７７ｄ、釘打込部材８２の下板取付ビス孔８２ａ、及び、ウェブ部８６の下板取付ビス孔８６ａに挿通し、更に下板当接部８０ａの下板取付ネジ孔８０ｅに螺着して固定する。更に、起立板部取付ビス８３ｃを、起立板部８７の起立板部取付ビス孔８７ａに挿通し、更に曲折部８０ｄの起立板部取付ネジ孔８０ｇに螺着して固定する。これにより、外枠５１の左下角部は、下板７１（下板基体８１と釘打込部材８２）及び左板７３が直交した姿勢で組み付けられる。
【００４４】
なお、外枠５１の左下角部以外の角部も、詳細な図示及び説明を割愛するが、略同様の構成にて組み付けられ、これにより外枠５１が略矩形状に組み付けられることで、縦長の固定外郭保持枠を形成するものである。そして、該縦長の固定外郭保持枠が形成された上で、下板７１の起立板部８７の前側面部に、幕板５４の裏側面部を当接した上で図示しない所定の取り付けビスにより螺着することで、図２に示すように外枠５１の下部且つ前面部に幕板５４が設けられるように構成されている。
【００４５】
次に、図５を参照して、本発明の要部である下板７１（下板基体８１と釘打込部材８２）のより詳細な構成を説明する。なお上述したように、下板７１の左右両側端部の構成は略同じである。
図５は、下板基体８１の右側端部の平面図及びＡ―Ａ矢視断面図と、ウェブ部８６の後縁部分のＢ部拡大図である。
Ａ―Ａ矢視断面図に示すように、ウェブ部８６の後縁部分の下方には後フランジ部８４が、またウェブ部８６の前縁部分の下方には前フランジ部８５が、さらにウェブ部８６の前縁部分の上方には起立板部８７が、それぞれ設けられていることは上述したとおりである。そして、後フランジ部８４と前フランジ部８５の間隙として形成される凹部空間８８には、図示釘打込部材８２が嵌入されて取り付けられる。取り付けられた図示釘打込部材８２の上面部は、ウェブ部８６の下側面部と当接され、上方からは隠蔽されるようになっている。
【００４６】
Ｂ部拡大図に示すように、本実施形態のウェブ部８６は、少なくとも後縁の上面部分に、複数の凹部及び凸部で構成される凹凸部９０を備える。詳述すると、凹凸部９０は、ウェブ部８６の後縁の最後部から前方に向かって複数の、断面略山形状の畝部９０ａ（図６のＣ部拡大図参照）と、断面略谷形状の溝部９０ｂとが、左右方向に沿って複数条、且つ連続して、条設されてなる。本実施形態の凹凸部９０は、ウェブ部８６の後縁から、ウェブ部８６の前後方向の略中央付近まで設けられている。また、換言すれば、本実施形態の凹凸部９０は、少なくとも、後フランジ部８４の上方に位置するウェブ部８６の後縁部分に設けられている。
【００４７】
また、ウェブ部８６の前後方向の略中央付近、すなわち凹部空間８８の上方位置には、貫通穴８９が上方から下方に向けて貫設されている（図５のＡ―Ａ矢視断面図参照）。上述したように、釘打込部材８２が組み付けられた場合、釘打込部材８２の上面部は、ウェブ部８６の下側面部と当接され、上方からは隠蔽されるが、該貫通穴８９が設けられた箇所のみ、下板基体８１の上方に向けて露出する。さらに詳述すると、下方に釘打込部材８２が配置されるウェブ部８６には、俯瞰視左右方向に横長の長円形状に形成された２条の貫通穴８９が、左右方向に沿って条設されてなる。貫通穴８９の前後方向の幅は、外枠５１を遊技機設置島に設置するために打ち込まれる釘の、少なくとも胴部の直径寸法より大きい寸法で形成され、本実施形態ではさらに釘の頭部直径寸法よりも大きな寸法に形成されている。
また、貫通穴８９は、ウェブ部８６の前後方向の略中央付近、すなわち凹部空間８８の上方位置に設けられるが、これを換言すると、上記凹凸部９０が少なくとも設けられるウェブ部８６の後縁よりも、前方位置に、貫通穴８９は設けられる。
さらに、本実施形態の貫通穴８９は（図８のＤ部拡大図参照）、少なくとも断面略山形状の畝部９０ａの頂部に設けられる。詳しくは、少なくとも畝部９０ａの頂部を含む領域に設けられ、図示のとおり、隣接する溝部９０ｂ、畝部９０ａに跨って設けられている。換言すれば、本実施形態の貫通穴８９は、溝部９０ｂにのみ設けられるものではなく、溝部９０ｂに設けられる場合には必ず隣接する畝部９０ａから該溝部９０ｂにまで拡張して設けられるものである。
【００４８】
次に、図６乃至図８を参照して、本実施形態の下板７１の作用について説明する。
図６及び図７は、外枠５１を図示クランプ９１により遊技機設置島に設置する状態を示している。
外枠５１の下板７１（下板基体８１と釘打込部材８２）は、遊技機設置島の設置用枠板９２に載置され、予め該設置用枠板９２に取り付けられて固定されたクランプ９１によりクランプされる。詳述すると、下板７１を設置用枠板９２の上に載置して、クランプ９１の前面部に設けられたストッパまで後退させて当接して前後方向の位置決めを行い、クランプ９１のレバー９１ｂを図示矢印方向に傾倒すると、クランプ９１のクランプ部９１ａが図示矢印方向に下降する。該下降したクランプ部９１ａの先端部が、Ｃ部拡大図に示すように、ウェブ部８６の後縁の上面部分に設けられた溝部９０ｂに当接し、さらに強くレバー９１ｂを傾倒することによりクランプ部９１ａの先端部が溝部９０ｂを加圧することで、確実に下板７１が設置用枠板９２に固定される。
【００４９】
本実施形態では、溝部９０ｂと畝部９０ａが交互に複数条設されていることにより、下板７１に前後方向の圧力が加わっても、クランプ部９１ａに対する摩擦係数が高く、また、クランプ部９１ａの先端部が溝部９０ｂから隣接する畝部９０ａへクランプ力に抗して移動するのは困難であるため、下板７１を確実に設置用枠板９２に固定可能となっている。
【００５０】
また、本実施形態では、凹凸部９０を後フランジ部８４の上方に位置するウェブ部８６の後縁部分に設けており、該後縁部分をクランプ部９１ａにて上方から加圧する。該後縁部分は下方に後フランジ部８４を備えることで、上方からの圧縮力に対して高い剛性を有しており、大きなクランプ力でクランプすることが可能となっている。ゆえに、下板７１に左右方向の圧力が加わっても、容易に横方向へのずれが生じないようになっている。
【００５１】
さらに、本実施形態では、凹凸部９０をウェブ部８６の後縁部分に設けており、該後縁部分をクランプ部９１ａにて上方から加圧する。クランプ９１は下板７１の後側端面部に当接するよう配置される。クランプ９１のクランプ部９１ａまでは片持ち梁状に形成されるため、同じ圧力でレバー９１ｂを傾倒させても、梁の長さが短いほど大きなクランプ力を発生させることになる。ゆえに、凹凸部９０をウェブ部８６の後縁部分に設けることで、梁の長さが短くても大きなクランプ力が発生可能であり、確実な固定を実現可能となっている。
【００５２】
図８は、外枠５１を図示釘９３により遊技機設置島に設置する状態を示している。
外枠５１の下板７１（下板基体８１と釘打込部材８２）は、遊技機設置島の設置用枠板９２に載置され、貫通穴８９に挿入された釘９３を、貫通穴８９から上方に向かって露出した釘打込部材８２を介して、釘打込部材８２の下方に位置する設置用枠板９２に、ハンマー９４にて打ち込むことで、設置用枠板９２に固定される。
【００５３】
本実施形態では、ハンマー９４によって釘９３を深く打ち込もうとする場合、上述したように、貫通穴８９は少なくとも断面略山形状の畝部９０ａの頂部に設けられていることにより、Ｄ部拡大図に示すように、釘９３の頭部の頂点位置が畝部９０ａの頂部と同じ高さまで打ち込むことが可能となっている。また、前記深さまで打ち込まない場合には、ハンマー９４の打撃面が釘９３の頭部の頂点を打撃しても、畝部９０ａの頂部を傷つけることがないようになっている。
【００５４】
また、上述したように、貫通穴８９は、凹凸部９０が少なくとも設けられるウェブ部８６の後縁よりも、前方位置に設けられていることにより、釘９３をハンマー９４で打ち込む作業性を向上させている。すなわち、該打ち込み作業は、遊技機設置島の外部から、つまり設置用枠板９２の前方に作業者は位置して、行うものである。したがって、本実施形態の貫通穴８９は、ウェブ部８６の後縁よりも、前方位置に設けられて、釘９３を打ち込む位置が前方にあるため、作業が容易に行えるようになっている。
【００５５】
さらに本実施形態の貫通穴８９は、俯瞰視左右方向に横長の長円形状に形成されることで、左右方向の任意の位置に釘９３を打ち込むことが可能となっている。また、該貫通穴８９を、前後方向に所定の間隙を設けて２条備えていることで、前後方向の任意の位置に釘９３を打ち込むことが可能となっている。
【００５６】
［変形例］
次に本発明の実施形態に係る変形例について、図９を参照して説明する。
なお、以下に説明する変形例は、上述した第一実施形態と略同じ構成を備えているため、同様の構成及び作用については説明を割愛する。
先ず、図９（Ａ）を参照して、本発明の第１変形例について説明する。図９（Ａ）は、第１変形例の下板基体１８１と釘打込部材１８２の断面図である。
本変形例の下板は、アルミニウムで形成された下板基体１８１と、該下板基体１８１の下方の空間に嵌入されると共に略横長板状の木材で形成されてなる釘打込部材１８２を備える。下板基体１８１と釘打込部材１８２は、左右方向の長さを略同じに形成されている。
下板基体１８１は、横長略平板上に形成されたウェブ部１８６と、該ウェブ部１８６の前縁の下面部から下方に向けて垂設されると共に断面略平板状に形成された前フランジ部１８５と、ウェブ部１８６の後縁の下面部から下方に向けて垂設されると共に断面略平板状に形成された後フランジ部１８４と、ウェブ部１８６の前後方向のやや前方よりの位置に、上方に向かって立設された略平板状の起立板部１８７と、を備える。なお、前フランジ部１８５、後フランジ部１８４、及び上記した釘打込部材１８２の高さは、略同じとなるように形成されている。
さらに、上述した、釘打込部材１８２が嵌入される下板基体１８１の下方の空間は、ウェブ部１８６の下方直下において、前フランジ部１８５と後フランジ部１８４との間隙として形成され且つ下方に向かって開口されてなる凹部空間として構成されている。
本変形例のウェブ部１８６は、少なくとも後縁の上面部分に、複数の凹部及び凸部で構成される凹凸部１９０を備える。凹凸部１９０を構成する断面略山形状の畝部と断面略谷形状の溝部については、上述した第一実施形態と同様の構成である。
また、ウェブ部１８６の前後方向の略中央付近、すなわち凹部空間の上方位置には、貫通穴１８９が上方から下方に向けて貫設されている。貫通穴１８９に係る構成も、上述した第一実施形態と同様の構成である。
【００５７】
本変形例の前フランジ部１８５及び後フランジ部１８４は、上述したように、何れも断面略平板状すなわち中実の構成となっている。このように構成することにより、前フランジ部１８５及び後フランジ部１８４が簡易な構造となり、設計及び製造上のコストダウンを図ることができる。
また、前フランジ部１８５及び後フランジ部１８４の厚みは適宜変更可能であり、例えば第一実施形態と同様の前後方向の厚みに設定して、さらに中実で形成しても良い。これにより、剛性が高まり、大きなクランプ力で締結しても変形及び破壊を起こす虞がない。
【００５８】
図９（Ｂ）を参照して、本発明の第２変形例について説明する。図９（Ｂ）は、第２変形例の下板基体２８１と釘打込部材２８２の断面図である。
本変形例の下板は、アルミニウムで形成された下板基体２８１と、該下板基体２８１の下方の空間に嵌入されると共に略横長板状の木材で形成されてなる釘打込部材２８２を備える。下板基体２８１と釘打込部材２８２は、左右方向の長さを略同じに形成されている。
下板基体２８１は、横長略平板上に形成されたウェブ部２８６と、該ウェブ部２８６の前縁の下面部に取付けられ且つ断面略中空箱状に形成されてなる前フランジ部２８５と、ウェブ部２８６の後縁の下面部に取付けられ且つ断面略中空箱状に形成されてなる
後フランジ部２８４と、ウェブ部２８６の前後方向のやや前方よりの位置に、上方に向かって立設された略平板状の起立板部２８７と、を備える。なお、前フランジ部２８５、後フランジ部２８４、及び上記した釘打込部材２８２の高さは、略同じとなるように形成されている。
さらに、上述した、釘打込部材２８２が嵌入される下板基体２８１の下方の空間は、ウェブ部２８６の下方直下において、前フランジ部２８５と後フランジ部２８４との間隙として形成され且つ下方に向かって開口されてなる凹部空間として構成されている。
本変形例のウェブ部２８６は、少なくとも後縁の上面部分に、複数の凹部及び凸部で構成される凹凸部２９０を備える。凹凸部２９０を構成する断面略山形状の畝部と断面略谷形状の溝部については、上述した第一実施形態と同様の構成である。但し、本変形例の凹凸部２９０は、後フランジ部２８４の上方でウェブ部２８６の後縁部分にのみ設けられている。
また、ウェブ部２８６の前後方向の略中央付近、すなわち凹部空間の上方位置には、貫通穴２８９が上方から下方に向けて貫設されている。貫通穴２８９に係る構成も、上述した第一実施形態と同様の構成である。
本変形例の下板基体２８１は、上述したように、前フランジ部２８５及び後フランジ部２８４が、ウェブ部２８６に対して取り付け、取り外し可能な別体で構成されている。前フランジ部２８５及び後フランジ部２８４の上面部には図示した断面凹部状の溝部が左右方向に沿って条設され、これに対してウェブ部２８６の前縁及び後縁の下面部には、上記溝部に嵌合する断面凸部状の畝部が条設され、これらの構成により位置決め可能となっている。
【００５９】
本変形例では、上述したように、前フランジ部２８５及び後フランジ部２８４が、ウェブ部２８６に対して別体で構成されることにより、下板基体２８１が個別の部品で構成されることから、変形等の問題が発生し難くなっており、品質管理が容易となっている。また、下板基体２８１の何れかの箇所が損傷しても、対応する部品のみを交換すれば良いので、ランニングコストの低減を図ることができる。
【００６０】
図９（Ｃ）を参照して、本発明の第３変形例について説明する。図９（Ｃ）は、第３変形例の下板基体３８１を俯瞰視した平面図である。なお、図９（Ｃ）では、凹凸部の図示を省略している。
本変形例の下板は、アルミニウムで形成された下板基体３８１のウェブ部３８６の前後方向の略中央付近、すなわち凹部空間の上方位置には、複数の貫通穴３８９が上方から下方に向けて貫設されている。貫通穴３８９は、上述した第一実施形態の略長円形状に形成された貫通穴８９とは異なり、略真円形状に形成されて、且つ貫通穴８９と略同じ領域に亘って即ち左右方向に沿って列状に並んで複数個が穿設された構成である。
本変形例では、このように貫通穴を略長円形状ではなく略真円形状に形成することで、ミーリング加工等の手間をかけなくても、簡易な孔明け加工によって実現可能となり製造コストを抑制することができる。
また、このような貫通穴３８９を、左右方向に列状に設けるだけではなく、より大きな領域に拡大して、マトリックス状すなわち前後方向且つ左右方向に碁盤の目状に多数穿設するように構成しても良い。
このようにすることで、より任意の位置に釘９３を打ち込むことが可能となり、釘９３による固定作業の自由度が向上する。
【００６１】
また、図９（Ｃ）の下板基体３８１は、ウェブ部３８６の後縁部分に切欠部３８４ａと、前縁部分に切欠部３８４ｂを備える。切欠部３８４ａを備えることで、該切欠部３８４ａに対応する箇所の後フランジ部は欠落し、切欠部３８４ｂに対応する箇所の前フランジ部は欠落する。このように、前フランジ部及び後フランジ部は、左右方向の全てに亘って備えていない構成であっても良い。特に後フランジ部は、クランプに適した箇所のみ備えるような構成としても良い。
このように構成することで、下枠の重量を軽減することが可能となる。また、パチンコ機５０の他の構成との干渉を容易に回避することや、特に後フランジ部に関しては、狭隘な遊技機設置島の設備内部における各種装置との干渉を回避することができる。
【００６２】
なお、上述した実施形態では、下板の固定についてのみ説明したが、上板７０の固定についても、同様にクランプ固定及び釘固定を可能な構成としても良い。また、釘固定のみに対応可能なような構成としても良い。
【００６３】
［特許請求の範囲との対応］
上記実施形態の説明で用いた用語と、特許請求の範囲の記載に用いた用語との対応を示す。
【００６４】
外枠５１が、外枠に、上板７０が、上板に、下板７１が、下板に、右板７２が、右の横板に、左板７３が、左の横板に、パチンコ機５０が、弾球遊技機に相当する。
【００６５】
ウェブ部８６、ウェブ部１８６、ウェブ部２８６、及びウェブ部３８６が、ウェブ部に相当する。
【００６６】
後フランジ部８４、後フランジ部１８４、及び後フランジ部２８４が、後フランジ部に相当する。
【００６７】
前フランジ部８４、前フランジ部１８４、及び前フランジ部２８４が、前フランジ部に相当する。
【００６８】
下板基体８１、下板基体１８１、下板基体２８１、下板基体３８１が、下板基体８１に相当する。
【００６９】
釘打込部材８２、釘打込部材１８２、釘打込部材２８２が、釘打込部材に相当する。
【００７０】
凹凸部９０、凹凸部１９０、凹凸部２９０が、複数の凹部及び凸部に相当し、畝部９０ａが、凸部に相当し、溝部９０ｂが、凹部に相当する。
【００７１】
貫通穴８９、貫通穴１８９、貫通穴２８９、貫通穴３８９が、貫通穴に相当する。
【００７２】
畝部９０ａが、畝部に相当し、溝部９０ｂが、溝部に相当する。
【符号の説明】
【００７３】
１：遊技盤
５０：パチンコ機
５１：外枠
６０：内枠
７０：上板
７１：下板
７２：右板
７３：左板
８１：下板基体
８２：釘打込部材
８４：後フランジ部
８５：前フランジ部
８６：ウェブ部
８９：貫通穴
９０：凹凸部
１８１：下板基体
１８２：釘打込部材
１８４：後フランジ部
１８５：前フランジ部
１８６：ウェブ部
１８９：貫通穴
１９０：凹凸部
２８１：下板基体
２８２：釘打込部材
２８４：後フランジ部
２８５：前フランジ部
２８６：ウェブ部
２８９：貫通穴
２９０：凹凸部
３８１：下板基体
３８６：ウェブ部
３８９：貫通穴
【図１】
0006337247.tif 000002
【図２】
0006337247.tif 000003
【図３】
0006337247.tif 000004
【図４】
0006337247.tif 000005
【図５】
0006337247.tif 000006
【図６】
0006337247.tif 000007
【図７】
0006337247.tif 000008
【図８】
0006337247.tif 000009
【図９】
0006337247.tif 000010